(57)【要約】【課題】小型のアダプターを提供する。【解決手段】第１の態様のアダプターは、絞り及び絞り駆動部材を含み絞り駆動部材の変位により絞りの開口率が変化する鏡筒と、カメラボディとを接続するアダプターである。絞り駆動部材の少なくとも一部と接触した状態で、鏡筒の光軸ＡＸの周方向の一部の第１範囲Ａ１において移動可能な可動部材３１０と、周方向における第１範囲Ａ１の外側の第２範囲Ａ２のうち、光軸ＡＸに対する放射方向に関して光軸ＡＸとの距離Ｌ３が光軸ＡＸと可動部材３１０との距離Ｌ１とほぼ等しい位置に配置され、カメラボディに対する周方向の相対位置を規制するピン３６３と、を含む。【選択図】図５
2013025153.tif 000002
【特許請求の範囲】
【請求項１】
絞り駆動部材を有し、前記絞り駆動部材の変位により交換レンズの絞りの開口率が変化する交換レンズの鏡筒と、カメラボディとを接続するアダプターであって、
前記絞り駆動部材の少なくとも一部と接触した状態で、前記交換レンズの光軸を中心とする周方向に第１範囲を移動可能な可動部材と、
前記周方向において前記第１範囲を除く第２範囲のうち、前記光軸を中心とする放射方向に前記光軸との距離が前記光軸と前記可動部材との距離とほぼ等しい位置に配置され、前記交換レンズとの相対位置を規制するピンと、を有するアダプター。
【請求項２】
前記第２範囲のうち、前記放射方向に前記光軸との距離が前記光軸と前記可動部材との距離とほぼ等しい位置に配置され、前記交換レンズと電気的に接続される端子部を有する請求項１に記載のアダプター。
【請求項３】
前記可動部材を前記周方向に移動する駆動装置を含む請求項１又は２に記載のアダプター。
【請求項４】
請求項１〜３のいずれか一項に記載のアダプターと、
前記アダプターに接続されるカメラボディと、
絞り駆動部材を有し、前記絞り駆動部材の変位により交換レンズの絞りの開口率が変化し、前記絞り駆動部材が前記アダプターの可動部材と接触する鏡筒と、を有するカメラシステム。
【発明の詳細な説明】
【技術分野】
【０００１】
本発明は、アダプター及びカメラシステムに関する。
【背景技術】
【０００２】
カメラシステムは、カメラボディ、及びカメラボディに取り付けられる交換レンズを有する。カメラボディは、交換レンズの光軸を中心とする周方向においてカメラボディに対する相対位置を規制するピンを有する。カメラシステムは、交換レンズの絞りを変化させることで露光量及び被写界深度を調整して、画像を撮像する（例えば、特許文献１及び特許文献２参照）。
【０００３】
交換レンズは、絞りの開口率を変化させる絞り駆動部材を有する。交換レンズは、絞り駆動部材の変位により絞りの開口率が変化する。カメラボディは、例えば、絞り駆動部材に接続される環状の可動部材と、可動部材を交換レンズの光軸を中心とする周方向に回動可能に支持する支持部材と、可動部材を回動する駆動装置とを有する。可動部材は、カメラボディに交換レンズが取り付けられた状態で、交換レンズの光軸を囲んで配置され、絞り駆動部材と接続される。駆動装置は、絞り駆動部材に接続された可動部材を、支持部材によって規定される回動方向に回動する。このように、カメラボディは、絞り駆動部材を変位させることによって、絞りの開口率を変化させる。
【先行技術文献】
【特許文献】
【０００４】
【特許文献１】特開平４−１１６６３１号公報
【特許文献２】特開平４−１２１７２０号公報
【発明の概要】
【発明が解決しようとする課題】
【０００５】
ところで、交換レンズは、アダプターを介してカメラボディに取り付けられることがある。アダプターは、上記のような環状の可動部材が設けられる場合に、例えば可動部材を回動させる機構が大型になることによって、アダプターの装置サイズが大型になる可能性がある。
【０００６】
本発明は、上記の事情に鑑み成されたものであって、小型のアダプター及びカメラシステムを提供することを目的とする。
【課題を解決するための手段】
【０００７】
本発明の第１の態様のアダプターは、絞り駆動部材を有し、前記絞り駆動部材の変位により交換レンズの絞りの開口率が変化する交換レンズの鏡筒と、カメラボディとを接続するアダプターであって、前記絞り駆動部材の少なくとも一部と接触した状態で、前記交換レンズの光軸を中心とする周方向に第１範囲を移動可能な可動部材と、前記周方向において前記第１範囲を除く第２範囲のうち、前記光軸を中心とする放射方向に前記光軸との距離が前記光軸と前記可動部材との距離とほぼ等しい位置に配置され、前記交換レンズとの相対位置を規制するピンと、を有する。
【０００８】
本発明の第２の態様のカメラシステムは、第１の態様のアダプターと、前記アダプターに接続されるカメラボディと、絞り駆動部材を有し、前記絞り駆動部材の変位により交換レンズの絞りの開口率が変化し、前記絞り駆動部材が前記アダプターの可動部材と接触する鏡筒と、を有する。
【発明の効果】
【０００９】
本発明によれば、小型のアダプター及びカメラシステムを提供することができる。
【図面の簡単な説明】
【００１０】
【図１】本実施形態のカメラシステムを示す斜視図である。
【図２】本実施形態のカメラシステムの機能構成を示す図である。
【図３】本実施形態のアダプターを示す斜視図である。
【図４】本実施形態のアダプターを示す平面図である。
【図５】本実施形態の第２マウント、可動部材、及び駆動装置を示す平面図である。
【図６】本実施形態の可動部材及び駆動装置を示す斜視図である。
【図７】本実施形態の駆動装置を示す斜視図である。
【図８】本実施形態の可動部材及び駆動装置を示す平面図である。
【図９】本実施形態の支持ローラー及び可動部材を示す断面図である。
【図１０】本実施形態の可動部材、駆動装置、及び押え板を示す平面図である。
【図１１】本実施形態のアダプターの変形例を示す平面図である。
【発明を実施するための形態】
【００１１】
本実施形態について説明する。図１は、本実施形態のカメラシステムを示す斜視図である。
【００１２】
図１に示すカメラシステム１は、カメラボディ１００、交換レンズ２００、及びアダプター３００を含む。アダプター３００は、カメラボディ１００に取り付けられている。交換レンズ２００は、アダプター３００に対してカメラボディ１００とは反対側おいて、アダプター３００に取り付けられている。
【００１３】
本実施形態のカメラボディ１００は、第１マウント１１を含む。第１マウント１１は、第１マウント１１と寸法が合うマウントを有する交換レンズ等を取り付けることができる。本実施形態の交換レンズ２００のマウントは、第１マウント１１と寸法が異なる。そのため、交換レンズ２００は、カメラボディ１００に直接的に取り付けることができない。交換レンズ２００は、アダプター３００を介して間接的に第１マウント１１に取り付けることができる。すなわち、アダプター３００は、カメラボディ１００に直接的に取り付けられるよう第１マウント１１と寸法が合うマウントを有している。さらにアダプター３００は、カメラボディ１００が取り付けられる反対側に、交換レンズ２００を直接的に取り付けられるよう第２マウント３６２を有している。
【００１４】
本実施形態のカメラボディ１００は、第１マウント１１が配置されている正面１２に対して側方を向く側面のうち上部に位置する頂面１３と、正面１２とは反対側を向く背面１４とを有する。本実施形態のカメラボディ１００は、頂面１３に閃光装置等のアクセサリーを取り付けることができる。
【００１５】
本実施形態において、図１等に示すＸＹＺ直交座標系を設定し、各部の位置関係等を説明することがある。このＸＹＺ直交座標系において、Ｙ軸方向は、交換レンズ２００の光軸ＡＸとほぼ平行な方向、Ｘ軸方向及びＺ軸方向は、それぞれＹ軸方向と直交し、かつ互いに直交する方向である。正面１２及び背面１４は、それぞれ、Ｙ軸方向とほぼ直交している。頂面１３は、Ｚ軸方向とほぼ直交している。
【００１６】
図２は、本実施形態のカメラシステムの機能構成を示す図である。図２に示すように、カメラシステム１において、交換レンズ２００へ入射した光は、交換レンズ２００及びアダプター３００を通って、カメラボディ１００の撮像素子１１０へ入射する。カメラシステム１は、交換レンズ２００によってカメラボディ１００の撮像素子１１０に形成された像を、カメラボディ１００によって撮像することができる。
【００１７】
本実施形態の交換レンズ２００は、複数のレンズ２０１、絞りユニット２０２（開口絞り）、絞り駆動部材２０３、レンズ制御部２０４、第１端子部２０５、及び鏡筒２０６（図１参照）を有する。複数のレンズ２０１は、交換レンズ２００へ入射した光を屈折させて、カメラボディ１００の撮像素子１１０の受光面に結像させる。絞りユニット２０２は、複数のレンズ２０１を通って撮像素子１１０へ入射する光の光量を開口率に応じて変化させる。絞り駆動部材２０３は、例えば、絞りユニット２０２と連動する絞りレバーである。絞りユニット２０２の開口率は、絞り駆動部材２０３の変位によって変化する。カメラシステム１は、絞りユニット２０２の開口率を制御することによって、撮像素子１１０に対する露光量と被写界深度を制御することができる。鏡筒２０６は、複数のレンズ２０１、絞りユニット２０２、及びレンズ制御部２０４を収容して保護する。第１端子部２０５は、鏡筒２０６に取り付けられている。第１端子部２０５は、レンズ制御部２０４に接続されている。第１端子部２０５は、交換レンズ２００がアダプター３００に取り付けられた状態（以下、交換レンズ２００の着状態という）において、アダプター３００の第２端子部３３０に接続される。本実施形態のレンズ制御部２０４は、光軸ＡＸとほぼ平行な方向における複数のレンズ２０１の位置を制御し、複数のレンズ２０１の焦点位置を制御するフォーカシング制御、及びズーム倍率を制御するズーム制御等を行う。
【００１８】
本実施形態のアダプター３００は、可動部材３１０、駆動装置３２０、第２端子部３３０、第３端子部３４０、及びアダプター制御部３５０を含む。可動部材３１０は、駆動装置３２０によって駆動されることによって、交換レンズ２００の絞り駆動部材２０３を変位させる。第２端子部３３０及び第３端子部３４０は、それぞれ、アダプター制御部３５０に接続されている。第２端子部３３０は、交換レンズ２００の着状態において、交換レンズ２００の第１端子部２０５に接続される。第３端子部３４０は、アダプター３００がカメラボディ１００に取り付けられた状態（以下、アダプター３００の着状態という）において、カメラボディ１００の第４端子部１２０に接続される。アダプター３００については、後に詳しく説明する。
【００１９】
本実施形態のカメラボディ１００は、図１に示すように、レリーズ釦１５、第１着脱スイッチ１６、及び筐体１７（軍艦部）を有する。また、カメラボディ１００は、図２に示すように、撮像素子１１０、第４端子部１２０、及びカメラ制御部１３０を有する。
【００２０】
本実施形態のレリーズ釦１５は、頂面１３に配置されている。カメラボディ１００は、レリーズ釦１５が操作（半押し又は全押し）されたことを検出して、撮像処理等の各種処理を行う。
【００２１】
本実施形態の第１着脱スイッチ１６は、正面１２に配置されている。第１マウント１１に取り付けられたアダプター３００は、第１着脱スイッチ１６が操作されることによって、第１マウント１１から取り外すことができる。第１着脱スイッチ１６は、第１マウント１１に配置されたピンと連動する。このピンは、アダプター３００の着状態において、光軸ＡＸを中心とする周方向におけるカメラボディ１００とアダプター３００との相対位置を規制する。すなわち、このピンは、アダプター３００の着状態において、アダプター３００がカメラボディ１００に対して、光軸ＡＸを中心とする周方向に回転しないように相対位置を規制する。
【００２２】
本実施形態の筐体１７は、撮像素子１１０及びカメラ制御部１３０を収容して保護する。第４端子部１２０は、筐体１７に設けられている。第４端子部１２０は、アダプター３００の着状態において、アダプター３００の第３端子部３４０と接続される。本実施形態のカメラボディ１００は、カメラボディ１００内の各部に電力を供給する電池を有する。
【００２３】
本実施形態の撮像素子１１０は、二次元的に配列された複数の画素を含む。撮像素子１１０の各画素は、ＣＣＤ（Ｃｈａｒｇｅ  Ｃｏｕｐｌｅｄ  ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等の受光素子を含む。撮像素子１１０の受光素子は、交換レンズ２００から各画素へ入射した光の光量に応じた電荷を発生する。撮像素子１１０は、各画素に入射した光により受光素子に発生した電荷を信号に変換する。撮像素子１１０は、交換レンズ２００を介して撮像素子１１０の受光面に形成された被写体の像を示す画像信号を生成する。
【００２４】
本実施形態のカメラ制御部１３０は、レリーズ釦１５が操作（半押し又は全押し）されたことを示す操作を検出する。カメラ制御部１３０は、検出した操作に基づいて、撮像素子１１０を制御し、撮像処理を実行する。また、カメラ制御部１３０は、撮像処理を行う上で必要とされる処理を、アダプター３００及び、アダプター３００を介して交換レンズ２００に実行させる。
【００２５】
本実施形態において、カメラ制御部１３０は、アダプター制御部３５０を制御する制御信号と、撮像に必要とされる情報を示す信号とを、第４端子部１２０及び第３端子部３４０を介して、アダプター制御部３５０に出力する。アダプター制御部３５０は、レンズ制御部２０４を制御する制御信号と、撮像に必要とされる情報を示す信号とを、第２端子部３３０及び第１端子部２０５を介してレンズ制御部２９４に出力する。レンズ制御部２０４は、撮像に必要とされる情報を示す信号を、第１端子部２０５及び第２端子部３３０を介してアダプター制御部３５０に出力する。本実施形態のカメラボディ１００は、カメラシステム１の各部に電力を供給する電池を有する。カメラボディ１００は、第４端子部１２０及び第３端子部３４０を介してアダプター３００内の各部に電力を供給する。さらに、アダプター３００は、カメラボディ１００から供給された電力を第２端子部３３０及び第１端子部２０５を介して、交換レンズ２００内の各部に供給する。第１端子部２０５、第２端子部３３０、第３端子部３４０、第４端子部１２０は、それぞれ、信号が入出力される信号端子と、電力が供給される電源端子と、電源端子と対になる接地端子と、を有する。
【００２６】
次に、アダプター３００について詳しく説明する。図３は、本実施形態のアダプターを示す斜視図である。図４は、本実施形態のアダプターを示す平面図である。
【００２７】
本実施形態のアダプター３００は、第１収容部材３６０、第２収容部材３６１、第２マウント３６２、ピン３６３、及び第２着脱スイッチ３６４を有する。
【００２８】
本実施形態の第２収容部材３６１は、図２に示した駆動装置３２０の少なくとも一部を収容している。本実施形態の第２収容部材３６１は、概ね箱状である。第２収容部材３６１は、交換レンズ２００の着状態において、交換レンズ２００の光軸ＡＸと交差する方向（−Ｚ方向）を向く面（以下、底面３６５という）を有する。底面３６５は、アダプター３００を三脚等に固定可能なネジ穴等を有する。第２収容部材３６１は、底面３６５とは反対側（＋Ｚ方向）を向く面で、第１収容部材３６０と接合されている。底面３６５を含む底部３６６は、第１収容部材３６０と接合される面を含む天井部３６７に対して、アダプター３００の外部に向って突出している。底部３６６は、交換レンズ２００の着状態において、天井部３６７よりも交換レンズ２００に向って突出して配置される。
【００２９】
本実施形態の第１収容部材３６０は、可動部材３１０及び第２端子部３３０と第３端子部３４０とアダプター制御部３５０とを収容している。第１収容部材３６０は、第２収容部材３６１の底面３６５が三脚、机等に支持されている状態で、第２収容部材３６１に支持される。
【００３０】
本実施形態の第１収容部材３６０は、円筒状である。第１収容部材３６０の軸方向は、交換レンズ２００の着状態において、交換レンズ２００の光軸ＡＸとほぼ平行になる。第１収容部材３６０は、第１開口部３６８及び第２開口部３６９を有する。第１開口部３６８は、アダプター３００の着状態においてカメラボディ１００を向く方向（−Ｙ方向）に配置される。第２開口部３６９は、交換レンズ２００の着状態において交換レンズ２００を向く方向（＋Ｙ方向）に配置される。交換レンズ２００からアダプター３００に入射した光は、第２開口部３６９を通った後に第１開口部３６８を通って、カメラボディ１００へ入射する。
【００３１】
本実施形態の第２マウント３６２は、第１収容部材３６０に取り付けられている。第２マウント３６２は、アダプター３００の着状態において、カメラボディ１００とは反対側（＋Ｙ方向）を向く面に配置される。本実施形態の第２マウント３６２は環状である。第２マウント３６２は、交換レンズ２００と接触するマウント面３７０を有する。第２マウント面３７０は、少なくとも一部が平面である。第２マウント３６２は、交換レンズ２００の着状態において、交換レンズ２００の光軸ＡＸが第２マウント３６２の中心を通るように配置される。
【００３２】
本実施形態の第２端子部３３０は、第２開口部３６９の内周の近傍に配置されている。第２端子部３３０の一部は、第２開口部３６９の内周の内側へ張り出している。第２端子部３３０は、第２収容部材３６１との間に第２開口部３６９を挟むように、配置されている。本実施形態において、光軸ＡＸを中心とする周方向の位置（回転位置）について、第２端子部３３０の位置を基準（０°）とした角度で示すことがある。この角度は、光軸方向の一側から見て（＋Ｙ方向から−Ｙ方向を見て）時計回りを正とし、反時計回りを負とする。
【００３３】
本実施形態のピン３６３及び第２着脱スイッチ３６４は、光軸ＡＸを中心とする周方向において、第２端子部３３０からほぼ９０°の回転位置に配置されている。ピン３６３は、マウント面３７０の法線方向（Ｙ軸方向）に進退可能である。ピン３６３は、例えば、マウント面３７０から突出する第１位置と、マウント面３７０から突出しない第２位置との間で進退可能である。ピン３６３は、第２着脱スイッチ３６４が操作されることによって進退する。
【００３４】
本実施形態のピン３６３は、交換レンズ２００の着状態において第１位置に配置されている場合に、交換レンズ２００に設けられた凹部（図示しない）に挿通される。ピン３６３は、交換レンズ２００に設けられた凹部に挿入されている状態において、交換レンズ２００の光軸を中心とする周方向におけるアダプター３００に対する交換レンズ２００の相対位置を規制する。すなわち、ピン３６３は、交換レンズ２００の光軸を中心とする周方向において交換レンズ２００がアダプター３００に対して回転しないようにする。ピン３６３は、交換レンズ２００の着状態において第２位置に配置されている場合に、交換レンズ２００に設けられた凹部に挿入されない。したがって、交換レンズ２００は、第２着脱スイッチ３６４の操作によりピン３６３が第２位置に配置されている場合に、第２マウント３６２から取り外すことができる。
【００３５】
図５は、本実施形態の第２マウント、可動部材３１０及び駆動装置３２０を示す平面図である。本実施形態の可動部材３１０及び駆動装置３２０は、光軸方向（Ｙ軸方向）から見て第２マウント３６２と重なる範囲に配置されている。可動部材３１０及び駆動装置３２０は、第２マウント３６２に対して、交換レンズ２００とは反対側（−Ｙ方向）に配置されている。図５において、可動部材３１０及び駆動装置３２０は、第２マウント３６２等を透かして模式的に図示されている。
【００３６】
本実施形態の可動部材３１０は、光軸ＡＸを中心とする環のうち、光軸ＡＸを中心とする周方向における所定の角度範囲α［°］を占める部分と概ね同じ形状（三日月形状、円弧形状）である。本実施形態において、角度範囲α［°］は、１５０°程度である。角度範囲α［°］は、例えば、１８０°以下でもよいし、１２０°以下でもよく、９０°以下でもよい。可動部材３１０は、光軸ＡＸを中心とする周方向において、第２端子部３３０に対してピン３６３とは反対側に配置されている。可動部材３１０は、図５に示した状態から光軸ＡＸを中心とする周方向において、反時計回りに角度θ１［°］、時計回りにθ２［°］だけ回動可能に設けられている。
【００３７】
本実施形態の駆動装置３２０は、光軸方向（Ｙ軸方向）から見て第２マウント３６２の内周よりも内側の領域と第２マウント３６２の外周よりも外側の領域とにまたがる範囲に設けられている。本実施形態の駆動装置３２０は、概ね−１５０°の回転位置に配置されている。駆動装置３２０は、光軸ＡＸを中心とする周方向の所定の角度範囲で可動部材３１０を回動させる。可動部材３１０が反時計回りに最も移動できる位置まで回動している第１状態と、可動部材３１０が時計回りに最も移動できる位置まで回動している第２状態とで、光軸ＡＸを中心とする周方向における可動部材３１０の一端の回転位置が角度（θ１＋θ２）［［°］だけ変化する。すなわち、可動部材３１０が回動可能な第１範囲Ａ１は、光軸ＡＸを中心とする環のうち、光軸ＡＸを中心とする周方向の角度範囲（α＋θ１＋θ２）［°］に相当する区間である。
【００３８】
なお、可動部材３１０が時計回りに最も移動できる位置まで回動している第２状態は、交換レンズ２００の絞り駆動部材２０３が最大開口率（開放絞り状態）に対応する位置に位置したときの状態であり、図５に記載の可動部材３１０の状態は第２状態を示している。可動部材３１０の第２状態における位置を最大開口位置と称す。可動部材３１０は、最大開口位置から光軸ＡＸを中心とする周方向に反時計回りに角度（θ１＋θ２）［°］回動できる。
【００３９】
本実施形態において、光軸ＡＸを中心とする放射方向（第２マウント３６２の径方向）に関して、可動部材３１０と光軸ＡＸとの距離Ｌ１は、第２端子部３３０と光軸ＡＸの距離Ｌ２とほぼ同じである。すなわち、光軸ＡＸを中心とる放射方向に関して、可動部材３１０の一部と光軸ＡＸとの距離は、第２端子部３３０の一部と光軸ＡＸとの距離と同じである。第２端子部３３０は、可動部材３１０が最も第２端子部３３０に接近した状態（第２状態）において、光軸方向（Ｙ軸方向）から見た可動部材３１０が第２端子部３３０の端子と重ならないように設定されている。すなわち、第２端子部３３０は、光軸ＡＸを中心とする周方向において、可動部材３１０が回動可能な第１範囲Ａ１を除く第２範囲Ａ２に配置されている。
【００４０】
本実施形態において、光軸ＡＸを中心とする放射方向に関して、可動部材３１０と光軸ＡＸとの距離Ｌ１は、ピン３６３と光軸ＡＸの距離Ｌ３とほぼ同じである。すなわち、光軸ＡＸを中心とする放射方向に関して、可動部材３１０の一部と光軸ＡＸとの距離は、ピン３６３の一部と光軸ＡＸとの距離と同じである。ピン３６３は、光軸ＡＸを中心とする周方向において、可動部材３１０が回動可能な第１範囲Ａ１を除く第２範囲Ａ２に配置されている。
【００４１】
図６は、本実施形態の可動部材及び駆動装置を示す斜視図である。図７は、本実施形態の駆動装置を示す斜視図である。図８は、本実施形態の可動部材及び駆動装置を示す平面図である。図９は、本実施形態の支持ローラー及び可動部材を示す断面図である。図１０は、本実施形態の可動部材、駆動装置、及び押え板を示す平面図である。図１１は、本実施形態のアダプターの変形例を示す平面図である。
【００４２】
図６に示すように、本実施形態の可動部材３１０は、本体部３７１、第１接触部３７２、第１ギア部３７３、及びフランジ部３７４を含む。可動部材３１０は、第１ギア部３７３（入力部）が駆動装置３２０から受ける力（入力されるトルク）によって回動する。本実施形態の可動部材３１０は、可動部材３１０の回動により第１接触部３７２（出力部）が交換レンズ２００の絞り駆動部材２０３に対して力を作用させる（出力する）ことによって、絞り駆動部材２０３を変位させる。
【００４３】
本実施形態において、光軸方向（Ｙ軸方向）から見た本体部３７１の外形は、光軸方向から見た可動部材３１０の外形と概ね同じである。本体部３７１は、光軸ＡＸを中心とする環のうち、光軸ＡＸを中心とする周方向における所定の角度範囲α［°］を占める部分と概ね同じ形状である。図９に示すように、本実施形態の本体部３７１は、光軸方向において＋Ｙ方向を向く第１面３７５と、−Ｙ方向を向く第２面３７６と、第１面３７５の外縁と第２面３７６の外縁とを結ぶ第３面３７７Ａ、３７７Ｂとを有する。本実施形態の可動部材３１０は、第１面３７５を含む第１部材３７８と、第２面３７６を含む第２部材３７９とを含む。本実施形態において、第１部材３７８及び第２部材３７９は、それぞれ、樹脂材料を型成形すること等によって形成されている。なお、本体部３７１は、第１部材３７８及び第２部材３７９から形成されるのではなく、樹脂材料を一体形成してもよい。
【００４４】
本実施形態の第１接触部３７２は、本体部３７１に対して第２マウント３６２と同じ側（＋Ｙ側）において、本体部３７１の第１部材３７８に取り付けられている。第１接触部３７２は、光軸方向において＋Ｙ方向から見て（−Ｙ方向に見て）第２マウント３６２の内周の内側へ張り出している。第１接触部３７２は、交換レンズ２００の着状態において、交換レンズ２００の絞り駆動部材２０３と接触する。交換レンズ２００の絞り駆動部材２０３は、所定の方向に向って付勢されており、交換レンズ２００の着状態において、この付勢力によって第１接触部３７２に押しつけられる。第１接触部３７２は、絞り駆動部材２０３と接触している状態で本体部３７１と一体的に回動することによって、絞り駆動部材２０３が付勢されている所定の方向とは反対向きに絞り駆動部材２０３を変位させる。
【００４５】
本実施形態の第１ギア部３７３は、駆動装置３２０の近傍に配置されている。本実施形態の第１ギア部３７３は、光軸ＡＸを中心とする周方向の位置（回転位置）について、−１８０°以上−９０°未満の角度範囲に配置されている。本実施形態の第１ギア部３７３は、本体部３７１のうち、光軸ＡＸを中心とする放射方向において外側を向いた第３面３７７Ｂに取り付けられている。第１ギア部３７３は、光軸ＡＸを中心とする放射方向において外側を向いた複数のギア歯を含む。第１ギア部３７３のピッチ円３８０の中心は、交換レンズ２００の光軸ＡＸとほぼ一致している。第１ギア部３７３の複数のギア歯は、ピッチ円３８０の周方向の一部に相当する範囲に配列されている。
【００４６】
本実施形態のフランジ部３７４は、光軸ＡＸを中心とする周方向において、第１ギア部３７３とほぼ同じ角度範囲に設けられている。フランジ部３７４は、本体部３７１に対して第２マウント３６２と同じ側（＋Ｙ方向）において、本体部３７１の第２部材３７９に取り付けられている。本実施形態のフランジ部３７４は、本体部３７１から光軸ＡＸを中心とする放射方向の外側に向って、第１ギア部３７３の歯先よりも突出している。
【００４７】
図７に示すように、本実施形態の駆動装置３２０は、第２ギア部（動力伝達部）３８１、第２接触部３８２、アクチュエーター３８３、及びエンコーダー３８４を含む。
【００４８】
本実施形態の第２ギア部３８１は、アクチュエーター３８３から入力された動力を第１ギア部３７３へ出力する。第２ギア部３８１は、複数のギアを含む。第２ギア部３８１は、複数のギアのうちのギア３８５のギア歯が、第１ギア部３７３のギア歯と噛み合わされている。ギア３８５は、第１ギア部３７３に対して、光軸ＡＸを中心とする放射方向に関する外側に配置されている。なお、動力伝達部は、アクチュエーター３８３から出力された動力を、摩擦等を利用して第１ギア部３７３へ伝達してもよい。
【００４９】
本実施形態の第２接触部３８２は環状である。第２接触部３８２の軸は、第２ギア部３８１のギア３８５の回転軸と同軸となるように接続されている。第２接触部３８２は、第１ギア部３７３のフランジ部３７４と接触して、第１ギア部３７３と第２ギア部３８１のギア３８５との間のギャップを形成している。すなわち、光軸ＡＸを中心とする放射方向における第２接触部３８２とフランジ部３７４の寸法及び位置は、第１ギア部３７３の歯先がギア３８５の歯元に到達しない状態において第１ギア部３７３と第２ギア部３８１のギア３８５とが接触するように設定されている。
【００５０】
本実施形態のアクチュエーター３８３は、電動モータ−を含む。アクチュエーター３８３は、第２ギア部３８１と接続されている。アクチュエーター３８３は、第２ギア部３８１にトルクを供給し、第２ギア部３８１のギア３８５を回転させる。
【００５１】
本実施形態のエンコーダー３８４は、第２ギア部３８１の複数のギアのうち少なくとも１つのギアの回転状態を示す回転情報を検出する。ギアの回転状態は、ギアの回転速度と回転位置の少なくとも一方を含む。エンコーダー３８４は、検出した回転情報をアダプター制御部３５０へ出力する。
【００５２】
図７及び図８に示すように、本実施形態のアダプター３００は、可動部材３１０の位置に関する位置情報を検出するセンサー３８６を含む。センサー３８６は、可動部材３１０の位置に関する情報を光学的に検出する。センサー３８６は、光軸ＡＸを中心とする周方向において可動部材３１０が最も反時計回りに回動された状態であるか否かを、検出することができる。センサー３８６は、検出した位置情報をアダプター制御部３５０に出力する。
【００５３】
アダプター制御部３５０は、エンコーダー３８４から出力された回転情報とセンサー３８６から出力された位置情報の少なくとも一方に基づいて、アクチュエーター３８３を制御することによって、第２ギア部３８１のギア３８５の回転状態を制御できる。アダプター制御部３５０は、ギア３８５の回転状態を制御することによって可動部材３１０の回転位置を制御し、結果として絞り駆動部材２０３の変位を制御できる。
【００５４】
図６及び図７に示すように、本実施形態のアダプター３００は、可動部材３１０が光軸ＡＸを中心とする周方向に円滑に回動可能なように、可動部材３１０を支持する支持ローラー３８７を有する。本実施形態において、支持ローラー３８７は、第１支持ローラー３８７Ａ、第２支持ローラー３８７Ｂ、及び第３支持ローラー３８７Ｃを有する。
【００５５】
第１支持ローラー３８７Ａは、可動部材３１０に対して、光軸ＡＸを中心とする放射方向において内側に配置されている。第１支持ローラー３８７Ａは、光軸ＡＸを中心とする周方向における回転位置に関して、第２ギア部３８１よりも第１接触部３７２に近い位置に配置されている。第１支持ローラー３８７Ａは、光軸方向（Ｙ軸方向）から見て光軸ＡＸと第１支持ローラー３８７Ａの中心とを結ぶ仮想線が第１接触部３７２の可動範囲と交差するように、第１接触部３７２の近傍に配置されている。第３支持ローラー３８７Ｃは、可動部材３１０に対して、光軸ＡＸを中心とする放射方向において外側に配置されている。第３支持ローラー３８７Ｃは、第１支持ローラー３８７Ａとの間で可動部材３１０を挟むように配置されている。
【００５６】
第２支持ローラー３８７Ｂは、可動部材３１０に対して、光軸ＡＸを中心とする放射方向において内側に配置されている。第２支持ローラー３８７Ｂは、第１支持ローラー３８７Ａよりも第１ギア部３７３に近い位置に配置されている。第２支持ローラー３８７Ｂは、光軸方向（Ｙ軸方向）から見て光軸ＡＸと第２支持ローラー３８７Ｂの中心とを結ぶ仮想線が第１ギア部３７３と交差するように、第１ギア部３７３の近傍に配置されている。第２支持ローラー３８７Ｂは、第２ギア部３８１との間に可動部材３１０の第１ギア部３７３を挟むように配置されている。
【００５７】
図９に示すように、本実施形態の可動部材３１０は、本体部３７１のうち支持ローラー３８７と接触する部分において、第３面３７７Ａが第１支持ローラー３８７Ａに向って凸の面を有する。本実施形態の第１支持ローラー３８７Ａは、可動部材３１０の第３面３７７Ａと対向する面が第３面３７７Ａに向って凹の面を有する。また、本実施形態の可動部材３１０は、本体部３７１のうち支持ローラー３８７と接触する部分において、第３面３７７Ｂが第３支持ローラー３８７Ｃに向って凸の面を有する。本実施形態の第１支持ローラー３８７Ａは、可動部材３１０の第３面３７７Ａと対向する面が第３面３７７Ａに向って凹の面を有する。また、第３支持ローラー３８７Ｃは、可動部材３１０の第４面３７７Ｂと対向する面が第４面３７７Ｂに向って凹の面を有する。
【００５８】
可動部材３１０の第１部材３７８は、第１面３７５の反対方向を向く第４面３８８（本体部３７１が一体形成であるときは第４面３８８を仮想面とする）、及び第１面３７５の外縁と第４面３８８の外縁とを結ぶ第５面３８９Ａ、３８９Ｂを有する。第５面３８９Ａ、３８９Ｂは、第３面３７７Ａ、３７７Ｂの一部である。光軸ＡＸを中心とする放射方向において内側にある第５面３８９Ａは、第１面３７５の外縁から第４面３８８の外縁に向うにつれて、光軸ＡＸに近づくように（第１支持ローラー３８７Ａに近づくように）傾斜している。光軸ＡＸを中心とする放射方向において外側にある第５面３８９Ｂは、第１面３７５の外縁から第４面３８８の外縁に向うにつれて、光軸ＡＸから離れるように（第３支持ローラー３８７Ｃに近づくように）傾斜している。
【００５９】
可動部材３１０の第２部材３７９は、第２面３７６の反対方向を向く第６面３９０（本体部３７１が一体形成であるときは第６面３９０を仮想面とする）、及び第２面３７６の外縁と第６面３９０の外縁とを結ぶ第７面３９１Ａ、３９１Ｂを有する。第２部材３７９の第６面３９０は、第１部材３７８の第４面３８８と接着や溶着等によって接合されている。第７面３９１Ａ、３９１Ｂは、第３面３７７Ａ、３７７Ｂの一部である。光軸ＡＸを中心とする放射方向において内側にある第７面３９１Ａは、第２面３７６の外縁から第６面３９０の外縁に向うにつれて、光軸ＡＸに近づくように（第１支持ローラー３８７Ａに近づくように）傾斜している。光軸ＡＸを中心とする放射方向において外側にある第７面３９１Ｂは、第２面３７６の外縁から第６面３９０の外縁に向うにつれて、光軸ＡＸから離れるように（第３支持ローラー３８７Ｃに近づくように）傾斜している。
【００６０】
可動部材３１０は、保持部材３９２と押え板３９３との間に、光軸ＡＸを中心とする周方向における回動を妨げない程度のギャップを有して、保持部材３９２と押え板３９３とに挟まれている。可動部材３１０は、保持部材３９２と押え板３９３とに挟まれていることによって、光軸方向（Ｙ軸方向）における移動が規制されている。
【００６１】
ところで、アダプターは、可動部材が交換レンズ２００の光軸を中心とする周方向の全周に設けられている場合に、可動部材を回動させる上で必要とされる駆動装置のパワーが増加し、大型になる可能性がある。また、アダプターは、可動部材が交換レンズ２００の光軸を中心とする周方向の全周に設けられている場合に、可動部材を支持する機構が複雑になり、アダプターが大型になる可能性がある。
【００６２】
本実施形態のアダプター３００は、可動部材３１０が交換レンズ２００の光軸ＡＸを中心とする周方向の一部に設けられているので、可動部材３１０を軽量にすることができる。したがって、アダプター３００は、可動部材３１０を回動させる上で駆動装置３２０に必要とされるパワーを減らすことができ、装置サイズを小型にすることができる。また、アダプター３００は、可動部材３１０が交換レンズ２００の光軸ＡＸの周方向の一部に設けられているので、可動部材３１０を支持する機構をシンプルにすることができ、装置サイズを小型にすることができる。
【００６３】
本実施形態において、ピン３６３は、光軸ＡＸの周方向に関して第１範囲Ａ１の外側の第２範囲Ａ２のうち、光軸ＡＸに対する放射方向に関して光軸ＡＸとの距離Ｌ３が光軸ＡＸと可動部材３１０との距離Ｌ１とほぼ等しい位置に配置されている。したがって、アダプター３００は、可動部材３１０がピン３６３と干渉（衝突）することを抑制しつつ、軸ＡＸに対する放射方向におけるアダプター３００の寸法を小さくすることができ、装置サイズを小型にすることができる。
【００６４】
本実施形態において、第２端子部３３０は、光軸ＡＸを中心とする周方向に関して第１範囲Ａ１を除く第２範囲Ａ２のうち、光軸ＡＸを中心とする放射方向に関して光軸ＡＸとの距離Ｌ２が光軸ＡＸと可動部材３１０との距離Ｌ１とほぼ等しい位置に配置されている。したがって、アダプター３００は、可動部材３１０が第２端子部３３０と干渉（衝突）することを抑制しつつ、光軸ＡＸを中心する放射方向におけるアダプター３００の寸法を小さくすることができ、装置サイズを小型にすることができる。
【００６５】
ところで、可動部材は、回動に伴って保持部材又は押え板と干渉する程度に、光軸方向における寸法の誤差が生じることがありえる。また、アダプターは、可動部材が環状である場合に製造誤差等による可動部材の形状の歪みによって、可動部材が回動が妨げられるおそれがある。
【００６６】
本実施形態のアダプター３００は、可動部材３１０が交換レンズ２００の光軸ＡＸの周方向の一部に設けられているので、可動部材３１０の製造誤差等によって可動部材３１０の回動が妨げられることが防げる。
【００６７】
図１１は、本実施形態のアダプターの変形例を示す平面図である。図１１に示す支持ローラー３８７は、第４支持ローラー３８７Ｄ及び第５支持ローラー３８７Ｅを有する。第４支持ローラー３８７Ｄは、可動部材３１０に対して、光軸ＡＸを中心とする放射方向において外側に配置されている。第４支持ローラー３８７Ｄは、可動部材３１０の第１ギア部３７３と駆動装置３２０の第２ギア部３８１とが接触する位置におけるピッチ円３８０の接線方向に配置されている。第５支持ローラー３８７Ｅは、可動部材３１０に対して、光軸ＡＸを中心とする放射方向において内側に配置されている。第５支持ローラー３８７Ｅは、第４支持ローラー３８７Ｄとの間に可動部材３１０を挟むように配置されている。
【００６８】
変形例のアダプターにおいて、第４支持ローラー３８７Ｄは、可動部材３１０の第１ギア部３７３と駆動装置３２０の第２ギア部３８１とが接触する位置におけるピッチ円３８０の接線方向に配置されている。したがって、アダプターは、第４支持ローラー３８７Ｄによって可動部材３１０の回動が妨げられることが防げる。
【００６９】
なお、本発明の技術範囲は上記の実施形態に限定されるものではない。上記の実施形態で説明した要件のうち少なくとも１つの要件は、省略される場合がある。上記の実施形態で説明した各要件は、適宜、組み合わせることができる。
【符号の説明】
【００７０】
１・・・カメラシステム、１００・・・カメラボディ、２００・・・交換レンズ、２０２・・・絞り、２０３・・・絞り駆動部材、３００・・・アダプター、３１０・・・可動部材、３２０・・・駆動装置、３３０・・・第２端子部、３６０・・・第１収容部材、３６１・・・第２収容部材、３６３・・・ピン、３７２・・・第１接触部、３７３・・・第１ギア部、３７５・・・第１面、３７６・・・第２面、３７７Ａ、３７７Ｂ・・・第３面、３７８・・・第１部材、３７９・・・第２部材、３８０・・・ピッチ円（円）、３８１・・・第２ギア部、３８２・・・第２接触部、３８７・・・支持ローラー、３８７Ａ・・・第１支持ローラー、３８７Ｂ・・・第２支持ローラー、３８７Ｃ・・・第３支持ローラー、３８８・・第４面、３８９Ａ、３８９Ｂ・・・第５面、３９０・・・第６面、３９１Ａ、３９１Ｂ・・・第７面、Ａ１・・・第１領域、Ａ２・・・第２領域、ＡＸ・・・光軸
【図１】
2013025153.tif 000003
【図２】
2013025153.tif 000004
【図３】
2013025153.tif 000005
【図４】
2013025153.tif 000006
【図５】
2013025153.tif 000007
【図６】
2013025153.tif 000008
【図７】
2013025153.tif 000009
【図８】
2013025153.tif 000010
【図９】
2013025153.tif 000011
【図１０】
2013025153.tif 000012
【図１１】
2013025153.tif 000013